(57)【特許請求の範囲】
【請求項１】
復水器の細管内を循環される循環水中から洗浄体を回収する洗浄体回収装置において、前記洗浄体回収装置は、円筒状に形成された洗浄体回収室と、該洗浄体回収室の内部に設置され、その外周面に内部と外部とを連通すると共に、その径を洗浄体の径より小に形成された孔を複数有する打抜多孔板ドラムと、前記洗浄体回収室及び打抜多孔板ドラムを連通し、循環水及び洗浄体を打抜多孔板ドラム内に導く第１の配管と、前記洗浄体回収室及び打抜多孔板ドラムを連通し、前記打抜多孔板ドラム内に導かれた循環水及び洗浄体を前記洗浄体回収室の外部に導く第２の配管と、前記洗浄体回収室に連通され、前記打抜多孔板ドラムに形成された孔を介して打抜多孔板ドラム内の循環水を外部に導く第３の配管とを有し、前記第１，第２及び第３の配管に弁を備え、
前記洗浄体回収装置は、前記打抜多孔板ドラム内の底部に形成された傾斜板と、前記打抜多孔板ドラム内の洗浄体を外部に排出する洗浄体回収口とを備えたことを特徴とする洗浄体回収装置。
【発明の詳細な説明】
【０００１】
【発明の属する技術分野】
本発明は、復水器細管内を洗浄する洗浄体を回収する洗浄体回収装置に関する。
【０００２】
【従来の技術】
一般に、火力或いは原子力発電プラントに用いられる復水器は、タービンより流入する蒸気を凝縮するために、その内部に海水等の冷却水を流通させる細管束が設置されている。しかしながら、この細管内には前述したように海水等を流通させているため、細管内にスケールや水垢等の付着物が付着し、熱効率の低下を招いてしまう。このため、例えば一日一回という頻度で定期的にスポンジボール等の洗浄体を復水系統に投入し、循環水と共に循環させて細管内の付着物の除去を行っていた。
【０００３】
従来の復水器細管洗浄装置の概要を図４に示す。洗浄体投入管２３より復水器循環水２２の入口に投入されたスポンジボール等の洗浄体１０は、復水器２１に内蔵された復水器細管２４内を通過接触する際に、付着物，水あか等を剥離除去し、復水器２１を流出する。洗浄体１０は洗浄体捕集器２５により抽出され、洗浄体取出管２６，洗浄体循環ポンプ２７，洗浄体計数器３０を経て洗浄体回収器３１において回収される。回収された洗浄体１０は必要に応じてバイパス系統２９の洗浄体投入管２３より、再び復水器循環水２２の入口に投入される。
【０００４】
図５は、図４に示す洗浄体回収器の詳細図である。洗浄体回収器はドラム状洗浄体回収室１の上半部が打抜多孔板ドラム２，下半部が流路切換え可能な洗浄体回収弁３，洗浄体回収弁３作動用の軸，軸受け４等で構成される。また、洗浄体回収室１の上部には蓋１１が設けられ、この蓋１１には必要に応じて洗浄体１０を追加投入するための、洗浄体投入口１３及び洗浄体投入弁１４が取付けられている。また、この蓋１１には内部観察用の覗き窓１２が取付けられている。図７は、図５に示す洗浄体回収弁３の詳細図である。洗浄体回収弁３は、円筒面に形成された弁体４０を電動駆動装置６の動力で摺動させることにより、洗浄体回収弁３の開口部４３を開閉することが可能となるように構成されている。なお、図７では弁体４０によって洗浄体回収弁３の開口部４３を閉じている状態を図示している。
【０００５】
以上のように構成された洗浄体回収装置において、洗浄体循環時には、洗浄体回収弁３は洗浄体回収室１外部に設置された電動駆動装置６により、軸，軸受け４を介して、打抜多孔板ドラム２内部と流出管５とを上下に流通するように設定されている。洗浄体１０を同伴する洗浄装置循環水３３は流入口８から打抜多孔板ドラム２内に入って下降し、洗浄体回収弁３を通り流出管５を流れて洗浄体循環弁９より出てゆく。
【０００６】
また、洗浄体回収時には図７に図示するように、打抜多孔板ドラム２の外側で洗浄体回収室１内側下半の部分と流出管５とが流通するように、洗浄体回収弁３の弁体４０を電動駆動装置６により切換える。洗浄体１０を同伴する洗浄装置循環水３３は流入口８から打抜多孔板ドラム２内に入り、水のみがその多孔板の孔４１から外側に流出し、洗浄体回収室１の下半部から、洗浄体回収弁３の開口部４３より下部の位置に形成された孔４２を通り流出管５を流れて洗浄体循環弁９より出てゆく。打抜多孔板ドラム２内に集積した洗浄体１０は、適時に洗浄体回収弁３を上下方向に流通するように設定し、流出管５を経て取出す。
【０００７】
【発明が解決しようとする課題】
従来の洗浄体回収器を構成する各部品において、円面ないし球面をゆるやかに摺動させて流通路を開閉する洗浄体回収弁３、および洗浄体回収弁３を軸，軸受け４を介して作動させる電動駆動装置６はその作動に時間が必要であった。この間に洗浄体１０の１部が洗浄体回収弁３の開口部にはさまり、操作が不適切になったり、洗浄体１０が変形，破損などすることがあった。また、電動駆動装置６，軸，軸受け４等は保守，管理などに時間を必要とした。
【０００８】
本発明の目的は、流路切換操作が円滑に行えると共に、洗浄体を確実に回収することができる洗浄体回収装置を提供することにある。
【０００９】
【課題を解決するための手段】
上記目的を達成するために、本発明の洗浄体回収装置は、復水器の細管内を循環される循環水中から洗浄体を回収する洗浄体回収装置において、前記洗浄体回収装置は、円筒状に形成された洗浄体回収室と、該洗浄体回収室の内部に設置され、その外周面に内部と外部とを連通すると共に、その径を洗浄体の径より小に形成された孔を複数有する打抜多孔板ドラムと、前記洗浄体回収室及び打抜多孔板ドラムを連通し、循環水及び洗浄体を打抜多孔板ドラム内に導く第１の配管と、前記洗浄体回収室及び打抜多孔板ドラムを連通し、前記打抜多孔板ドラム内に導かれた循環水及び洗浄体を前記洗浄体回収室の外部に導く第２の配管と、前記洗浄体回収室に連通され、前記打抜多孔板ドラムに形成された孔を介して打抜多孔板ドラム内の循環水を外部に導く第３の配管とを有し、前記第１，第２及び第３の配管に弁を備えたことを特徴とする。
【００１０】
また、前記洗浄体回収装置は、前記打抜多孔板ドラム内の底部に形成された傾斜板と、前記打抜多孔板ドラム内の洗浄体を外部に排出する洗浄体回収口とを備えたものである。
【００１１】
【発明の実施の形態】
以下、本発明の一実施例である洗浄体回収装置を図面を用いて説明する。
【００１２】
図１は本発明の一実施例を示す洗浄体回収器の構成図、図２は、図１に示すＡ−Ｂ−Ｃ−Ｄ線に沿う断面図、図３は、図１に示すＥ−Ｆ−Ｇ−Ｈ線に沿う断面図である。
【００１３】
図１に示す洗浄体回収器は、ドラム状洗浄体回収室１の内部に打抜多孔板ドラム２を配置した二重構造となっている。また、洗浄体回収器１の上部には蓋１１が設けられ、この蓋１１には必要に応じて洗浄体１０を追加投入するための洗浄体投入口１３及び洗浄体投入弁１４が取付けられている。また、蓋１１には内部観察用の覗き窓１２が取付けられている。
【００１４】
打抜多孔板ドラム２の内側下端近くに流入口８を設け、その配管には回収器入口弁７を取付ける。打抜多孔板ドラム２の内側上端近くに流出口１５を設け、その配管には洗浄体循環弁１６を取付ける。洗浄体回収室１の反対側の内側中央に回収室流出口１７を設け、その配管には洗浄体回収弁１８を取付ける。打抜多孔板ドラム２の底部には傾斜底板１９と洗浄体取出座２０を設ける。
【００１５】
以上のように構成された洗浄体回収器の運転時におけるそれぞれの弁の開閉状態を図６に示す。まず洗浄体循環時には、回収器入口弁７および洗浄体循環弁１６は開の状態、洗浄体回収弁１８は閉の状態に設定しておく。洗浄体１０を同伴する洗浄装置循環水３３は回収器入口弁７を通り、流入口８から打抜多孔板ドラム２内に入って上昇し、流出口１５から出て洗浄体循環弁１６を通って外部へ流出される。
【００１６】
また洗浄体回収時には、回収器入口弁７および洗浄体回収弁１８を開の状態、洗浄体循環弁１６を閉の状態に設定しておく。その切換操作は短時間に行われる。洗浄体１０を同伴する洗浄装置循環水３３は回収器入口弁７を通り、流入口８から打抜多孔板ドラム２内に流入し、回収室流出口１７から循環水のみ外部へ流出される。また、循環水中に同伴される洗浄体１０は、多孔板ドラム２の流入口８向い側の内側近傍に堆積する。すなわち、海水のみが多孔板の孔から打抜多孔板ドラム２の外側に出てゆき、回収室流出口１７から洗浄体回収弁１８を通って流される。打抜多孔板ドラム２内の循環水が回収室流出口１７より外部へ流出されたら、洗浄体取出座２０を開いて打抜多孔板ドラム２内の傾斜底板１９に集積した洗浄体１０を適時に取り出す。
【００１７】
以上のように構成することにより、本実施例によれば、洗浄体１０を変形，破損することなく洗浄体回収器の運転操作を円滑に行うことができた。また、本実施例によれば、洗浄体を確実に回収することが可能となった。また、機器の設置スペースを従来より大きく縮小することができ、また保守，管理などを極めて容易にすることができた。
【００１８】
【発明の効果】
以上のように本発明によれば、流路切換操作が円滑に行えると共に、洗浄体を確実に回収できるという効果を奏する。
【図面の簡単な説明】
【図１】本発明の一実施例を示す洗浄体回収器の構成図。
【図２】図１に示すＡ−Ｂ−Ｃ−Ｄ線に沿う断面図。
【図３】図１に示すＥ−Ｆ−Ｇ−Ｈ線に沿う断面図。
【図４】従来の復水器細管洗浄装置。
【図５】図４に示す洗浄体回収器の構成図。
【図６】本実施例における弁の開閉状態を示す図。
【図７】図５に示す洗浄体回収弁の詳細図。
【符号の説明】
１…洗浄体回収室、２…打抜多孔板ドラム、３…洗浄体回収弁、４…軸，軸受け、５…流出管、６…電動駆動装置、７…回収器入口弁、８…流入口、９…洗浄体循環弁、１０…洗浄体、１１…蓋、１２…覗き窓、１３…洗浄体投入口、１４…洗浄体投入弁、１５…流出口、１６…洗浄体循環弁、１７…回収室流出口、１８…洗浄体回収弁、１９…傾斜底板、２０…洗浄体取出座、２１…復水器、２２…復水器循環水、２３…洗浄体投入管、２４…復水器細管、２５…洗浄体捕集器、２６…洗浄体取出管、２７…洗浄体循環ポンプ、２８…洗浄体分流弁、２９…バイパス系統、３０…洗浄体計数器、３１…洗浄体回収器、３２…洗浄体含水装置、３３…洗浄装置循環水、４０…弁体、４１，４２…孔、４３…開口部。
【図１】
0003608975.tif 000002
【図２】
0003608975.tif 000003
【図３】
0003608975.tif 000004
【図４】
0003608975.tif 000005
【図５】
0003608975.tif 000006
【図６】
0003608975.tif 000007
【図７】
0003608975.tif 000008